(57)【要約】【課題】広範囲のユーザに使用されるプリンタ部またはマルチファンクション機として、画像出力時のジョブキャンセルや出力時間延長の発生頻度を低減した画像形成装置、画像形成方法および画像形成プログラムを提供することを主な目的とする。【解決手段】シート状記録媒体上に画像を形成する画像形成手段２と、給紙先選択手段４０２と、第１の媒体サイズを選択する媒体サイズ選択手段４０３と、媒体種を選択する媒体種選択手段４０４と、前記媒体サイズ選択手段４０３により選択された第１の媒体サイズに一致する第１の給紙トレイの探索結果と、前記媒体種選択手段４０４により選択された媒体種に一致する第２の給紙トレイの探索結果と、前記給紙先選択手段４０２により選択された前記選択トレイと、前記画像形成手段の動作として指定された回復処理値９０１、９０２、９０３と、に基づいて、前記画像形成手段の動作を決定する決定手段と、を有することを特徴とする。【選択図】        図３
2008229992.tif 000002
【特許請求の範囲】
【請求項１】
シート状記録媒体上に画像を形成する画像形成手段と、
前記画像形成手段に前記シート状記録媒体を搬送する複数の給紙トレイのうちいずれかの選択トレイを選択する給紙先選択手段と、
前記シート状記録媒体の第１の媒体サイズを選択する媒体サイズ選択手段と、
前記シート状記録媒体の媒体種を選択する媒体種選択手段と、
前記給紙先選択手段と、前記媒体サイズ選択手段と、前記媒体種選択手段は、前記画像形成手段の動作として回復処理値を指定する機能をさらに有し、
前記媒体サイズ選択手段により選択された第１の媒体サイズに一致する第１の給紙トレイの探索結果と、前記媒体種選択手段により選択された媒体種に一致する第２の給紙トレイの探索結果と、前記給紙先選択手段により選択された前記選択トレイと、前記回復処理値と、に基づいて、前記画像形成手段の動作を決定する決定手段と、
を有することを特徴とする画像形成装置。
【請求項２】
前記決定手段は、前記給紙先選択手段により選択された前記選択トレイと、該選択トレイの選択に伴って指定された前記回復処理値と、を優先して、前記画像形成手段の動作を決定することを特徴とする請求項１に記載の画像形成装置。
【請求項３】
前記決定手段は、前記媒体サイズ選択手段により選択された第１の媒体サイズに一致する前記第１の給紙トレイと、前記媒体種選択手段により選択された媒体種に一致する前記第２の給紙トレイが共に存在する場合、前記回復処理値に関わらず、前記第１の給紙トレイを前記第２の給紙トレイよりも優先して前記画像形成手段の動作を選択することを特徴とする請求項１に記載の画像形成装置。
【請求項４】
前記決定手段は、前記媒体サイズ選択手段により選択された第１の媒体サイズに一致する前記第１の給紙トレイが存在しない場合、前記回復処理値に基づいて、前記第１の媒体サイズに対して最も等倍率に近い第１の変倍率となる第２の媒体サイズと、前記第１の変倍率を前記画像形成手段の動作として選択することを特徴とする請求項１に記載の画像形成装置。
【請求項５】
前記決定手段は、前記媒体サイズ選択手段により選択された第１の媒体サイズに一致する前記第１の給紙トレイが存在しない場合、前記回復処理値に基づいて、前記第１の媒体サイズの全域を等倍率で含む最小サイズとなる第３の媒体サイズと、該第３の媒体サイズに合わせた第２の変倍率を前記画像形成手段の動作として選択することを特徴とする請求項１に記載の画像形成装置。
【請求項６】
前記決定手段は、前記媒体サイズ選択手段により選択された第１の媒体サイズに一致する前記第１の給紙トレイが存在しない場合、前記回復処理値に基づいて、前記第１の媒体サイズに対して最も等倍率に近い前記第１の変倍率となる前記第２の媒体サイズと、等倍率を前記画像形成手段の動作として選択することを特徴とする請求項１に記載の画像形成装置。
【請求項７】
前記決定手段は、前記媒体サイズ選択手段により選択された第１の媒体サイズに一致する前記第１の給紙トレイが存在しない場合、前記回復処理値に基づいて、前記第１の媒体サイズの全域を等倍率で含む最小サイズとなる前記第３の媒体サイズと、等倍率を前記画像形成手段の動作として選択することを特徴とする請求項１に記載の画像形成装置。
【請求項８】
前記複数の給紙トレイのうち優先的に前記画像形成手段に搬送する優先トレイを、使用者の指定と、前記複数の給紙トレイから前記画像形成手段に搬送する給紙時間と、から決定した給紙先優先度テーブルを記憶可能であることを特徴とする請求項１に記載の画像形成装置。
【請求項９】
前記給紙先選択手段により選択された前記選択トレイと、前記媒体サイズ選択手段により選択された前記第１の媒体サイズと、前記媒体種選択手段により選択された前記媒体種と、を画面表示する選択情報表示手段をさらに備え、
前記回復処理値は、前記画像形成手段による画像形成の強制実行と、請求項４乃至７のうちいずれか１項に記載の前記画像形成手段による画像形成の実行と、前記選択情報表示手段による情報表示の実行と、前記画像形成手段による画像形成の中止と、のうちいずれかの動作を指定することを特徴とする請求項１に記載の画像形成装置。
【請求項１０】
シート状記録媒体上に画像を形成する画像形成手段と、前記画像形成手段に前記シート状記録媒体を搬送する複数の給紙トレイのうちいずれかの選択トレイを選択する給紙先選択手段と、前記シート状記録媒体の第１の媒体サイズを選択する媒体サイズ選択手段と、前記シート状記録媒体の媒体種を選択する媒体種選択手段と、を備え、
前記給紙先選択手段と、前記媒体サイズ選択手段と、前記媒体種選択手段は、前記画像形成手段の動作として回復処理値を指定する機能をさらに有し、
前記媒体サイズ選択手段により選択された第１の媒体サイズに一致する第１の給紙トレイの探索結果と、前記媒体種選択手段により選択された媒体種に一致する第２の給紙トレイの探索結果と、前記給紙先選択手段により選択された前記選択トレイと、前記回復処理値と、に基づいて、前記画像形成手段の動作を決定する決定ステップと、
を有することを特徴とする画像形成方法。
【請求項１１】
請求項１０に記載の画像形成方法をコンピュータで実行する画像形成プログラム。
【発明の詳細な説明】
【技術分野】
【０００１】
本発明は、画像形成装置、画像形成方法および画像形成プログラムに関するものであり、特にユーザが指定した用紙選択条件の全てが一致しない場合にも、できるだけユーザ指定条件を優先して画像出力する技術に関するものである。
【背景技術】
【０００２】
近年、ネットワーク技術が進歩し、ネットワーク上で多くの利用者に共有されるネットワークプリンタが普及している。このようなネットワークプリンタは、利用者が多いため、多くの給紙トレイを有し、利用者の出力指示に従って画像出力する。このような用途の場合、多くの利用者はそれぞれ用途が異なるため、非常に多くの種類の用紙サイズや、上質紙またはコート紙といった非常に多くの用紙種が使用されることとなる。しかし、プリンタに設置できる給紙トレイ数は限られており、全ての利用者の出力用途に適うように多くの種類の用紙を給紙トレイに設置することは現実的に不可能である。
【０００３】
上述のような広範囲のネットワークで使用されるプリンタにおいて、利用者のプリント指示条件とプリンタ実機の設定条件が一致しないという画像出力条件の不一致が頻繁に発生するが、この画像出力条件不一致への対応に関する技術が特許文献１に開示されている。特許文献１に開示された技術では、該当プリンタが扱えない用紙サイズが選択された場合、表示部に用紙サイズに関するメッセージを表示し、扱えない用紙サイズであることを外部機器に通信し、ジョブキャンセルもしくは自動トレイ選択のいずれかを選択する。
【０００４】
【特許文献１】特開２００３−２７６２８８号公報
【発明の開示】
【発明が解決しようとする課題】
【０００５】
しかしながら、特許文献１に開示された技術では、プリント指示したジョブがキャンセルされることや、ユーザ指定条件とプリンタの設定条件が一致する条件の探索に非常に時間がかかることが問題になっていた。このように、画像出力条件の不一致が発生した場合の対応が、広範囲のユーザに使用されるプリンタとしては非常に効率を低下させる要因であった。従って、広範囲のユーザに使用されるプリンタとして、使用用紙選択の面から非常に効率が悪いという問題がある。
【０００６】
本発明は、上記に鑑みてなされたもので、画像出力時のジョブキャンセルや出力時間延長の発生頻度を低減した画像形成装置、画像形成方法および画像形成プログラムを提供することを主な目的とする。
【課題を解決するための手段】
【０００７】
上述した課題を解決し、目的を達成するために、請求項１にかかる発明は、シート状記録媒体上に画像を形成する画像形成手段と、前記画像形成手段に前記シート状記録媒体を搬送する複数の給紙トレイのうちいずれかの選択トレイを選択する給紙先選択手段と、前記シート状記録媒体の第１の媒体サイズを選択する媒体サイズ選択手段と、前記シート状記録媒体の媒体種を選択する媒体種選択手段と、前記給紙先選択手段と、前記媒体サイズ選択手段と、前記媒体種選択手段は、前記画像形成手段の動作として回復処理値を指定する機能をさらに有し、前記媒体サイズ選択手段により選択された第１の媒体サイズに一致する第１の給紙トレイの探索結果と、前記媒体種選択手段により選択された媒体種に一致する第２の給紙トレイの探索結果と、前記給紙先選択手段により選択された前記選択トレイと、前記回復処理値と、に基づいて、前記画像形成手段の動作を決定する決定手段と、を有することを特徴とする。
【０００８】
また、請求項２にかかる発明は、請求項１にかかる発明において、前記決定手段は、前記給紙先選択手段により選択された前記選択トレイと、該選択トレイの選択に伴って指定された前記回復処理値と、を優先して、前記画像形成手段の動作を決定すること、を特徴とする。
【０００９】
また、請求項３にかかる発明は、請求項１にかかる発明において、前記決定手段は、前記媒体サイズ選択手段により選択された第１の媒体サイズに一致する前記第１の給紙トレイと、前記媒体種選択手段により選択された媒体種に一致する前記第２の給紙トレイが共に存在する場合、前記回復処理値に関わらず、前記第１の給紙トレイ、前記第２の給紙トレイの優先順に従って前記画像形成手段の動作を選択すること、を特徴とする。
【００１０】
また、請求項４にかかる発明は、請求項１にかかる発明において、前記決定手段は、前記媒体サイズ選択手段により選択された第１の媒体サイズに一致する前記第１の給紙トレイが存在しない場合、前記回復処理値に基づいて、前記第１の媒体サイズに対して最も等倍率に近い第１の変倍率となる第２の媒体サイズと、前記第１の変倍率を前記画像形成手段の動作として選択すること、を特徴とする。
【００１１】
また、請求項５にかかる発明は、請求項１にかかる発明において、前記決定手段は、前記媒体サイズ選択手段により選択された第１の媒体サイズに一致する前記第１の給紙トレイが存在しない場合、前記回復処理値に基づいて、前記第１の媒体サイズの全域を等倍率で含む最小サイズとなる第３の媒体サイズと、該第３の媒体サイズに合わせた第２の変倍率を前記画像形成手段の動作として選択すること、を特徴とする。
【００１２】
また、請求項６にかかる発明は、請求項１にかかる発明において、前記決定手段は、前記媒体サイズ選択手段により選択された第１の媒体サイズに一致する前記第１の給紙トレイが存在しない場合、前記回復処理値に基づいて、前記第１の媒体サイズに対して最も等倍率に近い前記第１の変倍率となる前記第２の媒体サイズと、等倍率を前記画像形成手段の動作として選択すること、を特徴とする。
【００１３】
また、請求項７にかかる発明は、請求項１にかかる発明において、前記決定手段は、前記媒体サイズ選択手段により選択された第１の媒体サイズに一致する前記第１の給紙トレイが存在しない場合、前記回復処理値に基づいて、前記第１の媒体サイズの全域を等倍率で含む最小サイズとなる前記第３の媒体サイズと、等倍率を前記画像形成手段の動作として選択すること、を特徴とする。
【００１４】
また、請求項８にかかる発明は、請求項１にかかる発明において、前記複数の給紙トレイのうち優先的に前記画像形成手段に搬送する優先トレイを、使用者の指定と、前記複数の給紙トレイから前記画像形成手段に搬送する給紙時間と、から決定した給紙先優先度テーブルを記憶可能であることを特徴とする。
【００１５】
また、請求項９にかかる発明は、請求項１にかかる発明において、前記給紙先選択手段により選択された前記選択トレイと、前記媒体サイズ選択手段により選択された前記第１の媒体サイズと、前記媒体種選択手段により選択された前記媒体種と、を画面表示する選択情報表示手段をさらに備え、前記回復処理値は、前記画像形成手段による画像形成の強制実行と、請求項４乃至７のうちいずれか１項に記載の前記画像形成手段による画像形成の実行と、前記選択情報表示手段による情報表示の実行と、前記画像形成手段による画像形成の中止と、のうちいずれかの動作を指定すること、を特徴とする。
【００１６】
また、請求項１０にかかる発明は、シート状記録媒体上に画像を形成する画像形成手段と、前記画像形成手段に前記シート状記録媒体を搬送する複数の給紙トレイのうちいずれかの選択トレイを選択する給紙先選択手段と、前記シート状記録媒体の第１の媒体サイズを選択する媒体サイズ選択手段と、前記シート状記録媒体の媒体種を選択する媒体種選択手段と、を備え、前記給紙先選択手段と、前記媒体サイズ選択手段と、前記媒体種選択手段は、前記画像形成手段の動作として回復処理値を指定する機能をさらに有し、前記媒体サイズ選択手段により選択された第１の媒体サイズに一致する第１の給紙トレイの探索結果と、前記媒体種選択手段により選択された媒体種に一致する第２の給紙トレイの探索結果と、前記給紙先選択手段により選択された前記選択トレイと、前記回復処理値と、に基づいて、前記画像形成手段の動作を決定する決定ステップと、を有することを特徴とする。
【００１７】
また、請求項１１にかかる発明は、請求項１０に記載された画像形成方法をコンピュータに実行させることを特徴とする。
【発明の効果】
【００１８】
本発明によれば、画像形成装置への画像出力の際に、給紙トレイ、用紙サイズおよび用紙種の選択と共にそれぞれ指定される給紙トレイ回復処理値、用紙サイズ回復処理値、用紙種回復処理値と、各給紙トレイの用紙情報とユーザ指定の給紙情報の一致状況から総合的に判断することにより、ジョブキャンセルや出力時間延長の発生を低減し、画像形成装置にとって効率的な画像出力を実現することができるという効果を奏する。
【発明を実施するための最良の形態】
【００１９】
以下に添付図面を参照して、本発明の実施の形態にかかる画像形成装置、画像形成方法および画像形成プログラムの最良な実施の形態を詳細に説明する。
【００２０】
以下、本実施の形態にかかる画像形成装置について説明する。図１は、本実施の形態にかかる画像形成装置の概略構成を説明する断面図である。図１に示す画像形成装置１は、装置中央に画像形成部２が配置され、この画像形成部２の下方に給紙部３が配置されている。給紙部３は、各段にシート状媒体（転写紙）２０を収容する給紙トレイ（１）３１ａ、（２）３１ｂ、（３）３１ｃ、（４）３１ｄ、手差しトレイ３１ｅを備えていて、必要に応じて給紙装置３２を増設することができる。
【００２１】
画像形成部２の上方には、原稿を読み取る画像読取部４が配置され、画像形成部２の左側には、排紙収納部５が形成され、画像形成された転写紙を排紙収納される。
【００２２】
画像形成部２では、ベルト状をした中間転写ベルト６の上に、複数の作像部７が並列配置され、各々の作像部７ではドラム状をした感光体７１の周囲に、感光体７１の表面に帯電処理を行う帯電装置７２、画像情報を感光体７１の表面にレーザ光で照射する露光装置８、感光体７１の表面に露光されて形成された静電潜像を可視化する現像装置７３、および感光体７１上に残留するトナーを除去回収するクリーニング装置７４が配置されている。
【００２３】
作像プロセスとしては、中間転写ベルト６が回転して１つのカラー画像を形成している。すなわち、最初に、最左端に位置するイエロー（Ｙ）の作像部７Ｙで、イエロー（Ｙ）のトナーを現像し、中間転写ベルト６に転写する。次に、マゼンタ（Ｍ）の作像部７Ｍで、マゼンタ（Ｍ）のトナーを現像し、中間転写ベルト６に転写する。次に、シアン（Ｃ）の作像部７Ｃで、シアン（Ｃ）のトナーを現像し、中間転写ベルト６に転写する。最後に、最右端に位置するブラック（Ｋ）の作像部７Ｋで、ブラック（Ｋ）のトナーを現像し、中間転写ベルト６に転写する。
【００２４】
中間転写ベルト６上で現像された４色のトナー像を用紙に転写する転写装置６１、転写後に中間転写ベルト６の表面に残留するトナーを除去回収する中間転写クリーニング装置６２がそれぞれ配置されている。
【００２５】
トナー像を得た用紙上のトナーを定着処理する定着装置９が画像形成装置１の下流（用紙搬送路での下流）に配置されている。この定着装置９を通過した用紙は、排紙ローラ６３により排紙収納部５に排紙収納される。
【００２６】
給紙部３においては、給紙トレイ（１）３１ａ、（２）３１ｂ、（３）３１ｃ、（４）３１ｄおよび手差しトレイ３１ｅに未使用のシート状媒体２０が収容されており、回転可能に支持された底板３４が最上位のピックアップローラ３８に当接可能な位置まで上昇させる。そして、給紙トレイ３１ａの場合には、給紙ローラ３６，３７の回転により、最上位に位置するシート状媒体２０は給紙トレイ３１ａから送り出され、レジストローラ３３へと搬送される。
【００２７】
レジストローラ３３は、シート状媒体２０の搬送を一時止め、感光体７１表面のトナー像とシート状媒体２０の先端との位置関係が所定の位置になるよう、タイミングをとって回転が開始するように制御される。
【００２８】
画像読取部４では、コンタクトガラス上に載置される原稿を走査することによって読み取られる。走査された画像情報は、レンズ４２を介してＣＣＤセンサ４３に画像信号として読み込まれる。この読み込まれた画像信号は、デジタル化された後に画像処理される。
【００２９】
そして、画像処理された信号に基づいて、露光装置８内の不図示のレーザダイオードＬＤの発光により、感光体７１の表面に静電潜像が形成される。レーザダイオードＬＤからの光信号は、公知のポリゴンミラーやレンズを介して感光体７１に至る。画像読取部４の上方には、原稿を自動的にコンタクトガラス上に搬送する自動原稿搬送装置（ＡＤＦ）４１が取り付けられている。
【００３０】
本実施の形態にかかる画像形成装置は、上述したように原稿を走査して画像を読み取り、デジタル化して用紙に複写する、いわゆるデジタルカラー複写機としての機能の他、不図示の制御装置により原稿の画像情報を遠隔地との間で授受するファクシミリ機能や、コンピュータから送信される画像データを用紙上に印刷するいわゆるプリンタ機能も有している。
【００３１】
以下、プリンタ部の構成要素を参照して、本実施の形態にかかる画像形成装置の全体構成を説明する。図２は、本実施の形態にかかる画像形成装置のプリンタ部構成を示すブロック図である。図２に示すように、プリンタ部１００は、ホストコンピュータＨＣから送信されたプリントデータをシート状媒体２０上に画像出力する機能を有しており、プリンタコントローラ２００と、エンジン制御部６００と、エンジン７００と、を備えている。
【００３２】
エンジン７００は、シート状媒体２０上に画像出力するマーキングエンジンであり、図１に示したように、画像形成部２と、給紙部３と、を備え、給紙トレイ（１）３１ａ、（２）３１ｂ、（３）３１ｃ、（４）３１ｄおよび手差しトレイ３１ｅ内部に用紙検知センサ７１０を備えている。用紙検知センサ７１０は、給紙トレイ３１ａ〜３１ｅに戴置きされる用紙サイズおよび用紙種を検知する用紙検知機能を有する。また、用紙検知センサ７１０は、ユーザの指定ボタン（不図示）押下により用紙サイズおよび用紙種を指定されることに代替されてもよい。
【００３３】
エンジン制御部６００は、プリンタコントローラ２００から送信された画像信号と制御信号を受け、実際にエンジン７００の動作を制御する機能を有する。
【００３４】
プリントコントローラ２００は、受信したプリントデータの記述内容を解読する機能を有しており、内部にジョブ制御信号解析部３００と、インタプリタ部４００と、プリンタデバイス管理部５００と、操作パネル８００と、を備えている。
【００３５】
ジョブ制御信号解析部３００は、ホストコンピュータＨＣから送信されたプリントデータを受信し、送信された各ジョブの優先順位付けを含め、エンジン７００への画像出力の制御全般を指示する機能を有しており、受信したプリントデータをインタプリタ部４００に送信する。
【００３６】
インタプリタ部４００は、プリントデータ内に記述される画像データと画像出力条件を解読し、エンジン７００が適切に出力動作を実行できる画像信号と制御信号に変換する機能を有する。プリントデータの記述内容については、詳細を後述する。
【００３７】
プリンタデバイス管理部５００は、インタプリタ部４００で解読されたプリントデータに記述される情報を基に送信されてきた画像出力条件の指定信号に従って、エンジン７００の動作を制御する信号を生成し、エンジン制御部６００に送信する機能を有する。
【００３８】
操作パネル８００は、ユーザが指定した給紙情報（給紙トレイ、用紙サイズ、用紙種）を表示し、各給紙トレイで検知される用紙情報と一致しない場合、ユーザに設定変更を促す機能を有する。
【００３９】
以下、インタプリタ部４００の構成について詳細に説明する。図３は、本実施の形態にかかるインタプリタ部４００の構成を示すブロック図である。インタプリタ部４００は、プリントデータ内に記述される画像データと画像出力条件を解読し、エンジン７００が適切に出力動作を実行できる画像信号と制御信号に変換する機能を有しており、ＰＤＬデバイス制御部４０１と、ＰＤＬ描画処理部４０８と、を備えている。
【００４０】
ＰＤＬ描画処理部４０８は、プリントデータ内の画像データに記述される描画コマンドを解読し、エンジン７００が画像出力可能な画像形式に変換する機能を有する。すなわち、ＰＤＬ描画処理部４０８は、プリンタ記述言語で記述された画像データを解読し、エンジン７００が画像出力可能なビットマップ画像に変換する。カラープリンタの場合、ＰＤＬ描画処理部４０８は、通常、画像データをＣＭＹＫの４チャンネルビットマップ画像に変換する。変換されたビットマップ画像は、エンジン制御部６００内のＣＭＹＫ各色の画像メモリ（不図示）に転送される。その後、画像出力の際に、画像メモリからエンジン７００に開放され、画像出力される。
【００４１】
ＰＤＬデバイス制御部４０１は、画像出力時のエンジン７００の動作を制御する機能を有しており、給紙トレイ選択部４０２と、用紙サイズ選択部４０３と、用紙種選択部４０４と、出力条件決定処理部４０５と、給紙先優先度テーブル４０６と、排紙先選択処理部４０７と、を備えている。
【００４２】
給紙トレイ選択部４０２は、ユーザが指定した給紙トレイ選択情報を受信し、給紙トレイ選択情報に従って画像出力する際の給紙トレイの指定信号をプリンタデバイス管理部５００に送信する機能を有する。給紙トレイ選択情報については、詳細を後述する。
【００４３】
用紙サイズ選択部４０３は、ユーザが指定した用紙サイズ選択情報を受信し、用紙サイズ選択情報に従って画像出力する際の用紙サイズの指定信号をプリンタデバイス管理部５００に送信する機能を有する。用紙サイズ選択情報については、詳細を後述する。
【００４４】
用紙種選択部４０４は、ユーザが指定した用紙種選択情報を受信し、用紙種選択情報に従って画像出力する際の用紙種の指定信号をプリンタデバイス管理部５００に送信する機能を有する。用紙種選択情報については、詳細を後述する。
【００４５】
出力条件決定処理部４０５は、本実施の形態にかかる画像形成装置の画像出力条件を決定する機能を有しており、給紙トレイ選択情報と、用紙サイズ選択情報と、用紙種選択情報と、それぞれを選択する際に指定した回復処理値と、エンジン７００内部の用紙検知センサ７１０によって検知された各給紙トレイの用紙サイズ及び用紙種の情報を基に、画像出力条件を決定する。出力条件決定処理部４０５は、決定された画像出力条件の指定信号をプリンタデバイス管理部５００に送信する。
【００４６】
排紙先選択処理部４０７は、ユーザが指定した排紙先選択情報を受信し、排紙先選択情報に従って画像出力する際の排紙トレイの指定信号をプリンタデバイス管理部５００に送信する機能を有する。
【００４７】
給紙先優先度テーブル４０６は、ＰＤＬデバイス制御部４０１内に記憶されているテーブルであり、画像出力時の給紙トレイの選択肢が複数になった場合に参照するテーブルである。図４は、本実施の形態にかかる画像形成装置の給紙先優先度テーブルの記憶構造を示す概要図である。図４は、給紙トレイの優先度を決定した給紙先優先度テーブル４０６の一例である。図４は、給紙先優先度の選択基準として、ユーザが指定した給紙トレイと、各給紙トレイから画像形成部２へ搬送する給紙時間の短い給紙トレイを優先して決定するテーブルの構成を示している。
【００４８】
給紙先優先度テーブル４０６は、優先度と、各給紙トレイと、を対応付けたテーブルである。図４に示すテーブルの場合、ユーザが指定した最優先給紙トレイ、その下は給紙時間の短かい順でトレイ（１）３１ａから、順次、トレイ（２）３１ｂ、トレイ（３）３１ｃ、トレイ（４）３１ｄ、最後に手差しトレイ３１ｅと優先度を規定している。図４の場合、ＬＥＦをＳＥＦよりも優先して指定している。
【００４９】
本実施の形態においては、プリンタ部１００の複数の給紙トレイの優先順位を給紙先優先度テーブル４０６に記述する。図４に示す例では、ユーザ指定トレイを最優先に設定し、各給紙トレイから画像形成部２までの給紙時間からトレイ（１）３１ａ、トレイ（２）３１ｂ、トレイ（３）３１ｃ、トレイ（４）３１ｄ、手差しトレイ３１ｅの順で優先度を決定したことを示している。
【００５０】
なお、給紙先優先度テーブル４０６の設定は、各製品が工場出荷時に設定されるようにしてもよいし、ユーザが操作パネル等で各機固有に設定されるようにしてもよい。
【００５１】
上述のように、ユーザ指定と各給紙時間の短い順で各給紙トレイの優先度を決定したものが、給紙先優先度テーブル４０６である。ユーザ指定の給紙トレイとプリンタ部１００が備えた給紙トレイにより、図４に示すように、プリンタ部１００が参照する給紙トレイの優先度が決定する。
【００５２】
上記のように、ＰＤＬデバイス制御部４０１内部の各部で生成された指定信号は、プリンタデバイス管理部５００に送信され、エンジン７００の動作を制御するための制御信号をエンジン制御部６００に生成させる。
【００５３】
以下、給紙トレイ、用紙サイズ、用紙種をそれぞれ選択するプリンタ設定画面について詳細を説明する。図５は、本実施の形態にかかる画像形成装置のプリンタ設定画面８０１である。プリンタ設定画面８０１は、主な設定メニューとして７つの画像出力条件を指定する機能を有しており、給紙トレイ回復処理値設定欄８０２と、用紙サイズ回復処理値設定欄８０３と、用紙種回復処理値設定欄８０４と、給紙トレイ選択欄８０５と、用紙サイズ選択欄８０６と、用紙種選択欄８０７と、排紙先選択欄８０８と、を備えている。
【００５４】
給紙トレイ選択欄８０５は、画像出力を実行する給紙トレイの選択欄である。本実施の形態にかかる画像形成装置においては、給紙トレイ選択欄８０５は、図１に示した給紙トレイ（１）３１ａ、（２）３１ｂ、（３）３１ｃ、（４）３１ｄおよび手差しトレイ３１ｅのいずれかを選択する欄である。
【００５５】
また、用紙サイズ選択欄８０６は、画像出力を実行する用紙サイズの選択欄である。本実施の形態にかかる画像形成装置においては、用紙サイズ選択欄８０６は、Ａ４、Ａ３、Ｂ５、Ｂ４、Ｌｅｔｔｅｒ、Ｌｅｇａｌ等の規定用紙サイズのうちいずれかを選択する欄である。
【００５６】
また、用紙種選択欄８０７は、画像出力を実行する用紙種の選択欄である。本実施の形態にかかる画像形成装置においては、用紙種選択欄８０７は、再生紙、上質紙、コート紙等の紙質の種類のうちいずれかを選択する欄である。
【００５７】
また、排紙先選択欄８０８は、画像出力を実行した後、用紙を排出する場所を指定する選択欄である。本実施の形態にかかる画像形成装置においては、排紙先選択欄８０８は、図１の排紙収納部５、もしくはステープラー（不図示）、紙折り等の後処理装置（不図示）が接続されている場合、それらを指定する選択欄である。
【００５８】
また、給紙トレイ回復処理値設定欄８０２は、給紙トレイ選択欄８０５で選択された給紙トレイの画像出力条件が他の選択条件と一致しない場合の動作を指定する給紙トレイ回復処理値の選択欄である。給紙トレイ回復処理値設定欄８０２は、「０」はエラーを出力してジョブキャンセル、「１」は指定を無視して処理継続する、「２」は操作パネルに選択条件を表示する、のうちいずれかを選択する欄である。
【００５９】
また、用紙サイズ回復処理値設定欄８０３は、用紙サイズ選択欄８０６で選択された用紙サイズの画像出力条件が他の選択条件と一致しない場合の動作を指定する用紙サイズ回復処理値の選択欄である。用紙サイズ回復処理値設定欄８０３は、「０」「１」「２」「３」「４」「５」「６」のいずれかを選択する欄である。本実施の形態にかかる画像形成装置においては、「０」はエラーを出力してジョブキャンセル、「１」は指定を無視して処理継続する、「２」は操作パネルに選択条件を表示する、「３」は「最も等倍に近い変倍率の用紙サイズ」と「最も等倍に近い変倍率」を選択する、「４」は「選択用紙サイズの全域が収まる最小用紙サイズ」と「選択用紙サイズの全域が収まる最小用紙サイズに合わせた変倍率」を選択する、「５」は「最も等倍に近い変倍率の用紙サイズ」と「等倍率」を選択する、「６」は「選択用紙サイズの全域が収まる最小用紙サイズ」と「等倍率」を選択する、のうちいずれかを選択する欄である。
【００６０】
また、用紙種回復処理値設定欄８０４は、用紙種選択欄８０７で選択された用紙種の画像出力条件が他の選択条件と一致しない場合の動作を指定する用紙種回復処理値の選択欄である。用紙種回復処理値設定欄８０４は、「０」はエラーを出力してジョブキャンセル、「１」は指定を無視して処理継続する、「２」は操作パネルに選択条件を表示する、のうちいずれかを選択する欄である。
【００６１】
上述のように、ユーザがプリンタ設定画面８０１上で７つの画像出力条件を選択し、プリントコマンドを送信した時点で、プリントデータの内部に７つの画像出力条件に関する情報が画像データに添付され、ホストコンピュータＨＣからプリンタ部１００にプリントデータとしてデータ送信される。なお、本実施の形態では、図５に示すように給紙トレイ回復処理値設定欄８０２、用紙サイズ回復処理値設定欄８０３、用紙種回復処理値設定欄８０４を設けてユーザに回復処理値を設定させた構成としているが、これに限定されるものではない。例えば、プリンタ等の操作パネルから回復処理値を設定したり、自動的に設定するように構成してもよい。
【００６２】
以下、プリントデータの構成例を説明する。図６は、本実施の形態にかかる画像形成装置のプリントデータ９００の内部構成例を示す概略図である。ユーザは、ホストコンピュータＨＣから出力画像を決定し、プリンタ設定画面８０１上で所望の画像出力条件を選択して、プリントデータ９００をプリンタ部１００へ送信する。
【００６３】
プリントデータ９００は、画像データ９０８に加え、ユーザの指定に応じて、給紙トレイ回復処理値９０１と、用紙サイズ回復処理値９０２と、用紙種回復処理値９０３と、給紙トレイ選択情報９０４と、用紙サイズ選択情報９０５と、用紙種選択情報９０６と、排紙先選択情報９０７と、を備えている。
【００６４】
本実施の形態にかかる画像形成装置においては、給紙トレイ選択情報９０４の指定には給紙トレイ回復処理値９０１の指定が伴い、用紙サイズ選択情報９０５の指定には用紙サイズ回復処理値９０２の指定が伴い、用紙種選択情報９０６の指定には用紙種回復処理値９０３の指定が伴う。
【００６５】
給紙トレイ選択情報９０４は、ユーザがプリント出力指示を行う際に、給紙トレイ選択欄８０５で指定した給紙トレイの情報を示しており、給紙トレイ３１ａ〜３１ｅのいずれかを選択した情報を記述している。インタプリタ部４００がプリントデータ９００を受信すると、給紙トレイ選択情報９０４は、給紙トレイ選択部４０２において給紙トレイを選択し、出力条件決定処理部４０５に送信され、画像出力条件の決定のための判断材料とされる。
【００６６】
給紙トレイ回復処理値９０１は、ユーザがプリント出力指示を行う際に、給紙トレイ回復処理値設定欄８０２で指定した給紙トレイ回復処理の情報を記述している。給紙トレイ回復処理値９０１は、給紙トレイ選択情報９０４に記述された給紙トレイが、用紙サイズや用紙種といった他の選択条件と一致しない場合の動作を指定している。インタプリタ部４００がプリントデータ９００を受信すると、給紙トレイ回復処理値９０１は、出力条件決定処理部４０５に送信され、画像出力条件の決定のための判断材料とされる。
【００６７】
用紙サイズ選択情報９０５は、用紙サイズ選択欄８０６で指定された用紙サイズの情報を記述している。インタプリタ部４００がプリントデータ９００を受信すると、用紙サイズ選択情報９０５は、用紙サイズ選択部４０３において用紙サイズを選択し、出力条件決定処理部４０５に送信され、画像出力条件の決定のための判断材料とされる。
【００６８】
用紙サイズ回復処理値９０２は、用紙サイズ回復処理値設定欄８０３で指定された用紙サイズ回復処理の情報を記述している。用紙サイズ回復処理値９０２は、用紙サイズ選択情報９０５に記述された用紙サイズが、給紙トレイや用紙種といった他の選択条件と一致しない場合の動作を指定している。インタプリタ部４００がプリントデータ９００を受信すると、用紙サイズ回復処理値９０２は、出力条件決定処理部４０５に送信され、画像出力条件の決定のための判断材料とされる。
【００６９】
用紙種選択情報９０６は、用紙種選択欄８０７で指定された用紙種の情報を記述している。インタプリタ部４００がプリントデータ９００を受信すると、用紙種選択情報９０６は、用紙種選択部４０４において用紙種を選択し、出力条件決定処理部４０５に送信され、画像出力条件の決定のための判断材料とされる。
【００７０】
用紙種回復処理値９０３は、用紙種回復処理値設定欄８０４で指定された用紙種回復処理の情報を記述している。用紙種回復処理値９０３は、用紙種選択情報９０６に記述された用紙種が、給紙トレイや用紙サイズといった他の選択条件と一致しない場合の動作を指定している。インタプリタ部４００がプリントデータ９００を受信すると、用紙種回復処理値９０３は、出力条件決定処理部４０５に送信され、画像出力条件の決定のための判断材料とされる。
【００７１】
排紙先選択情報９０７は、排紙先選択欄８０８で指定された画像形成後の用紙の排出先に関する情報を記述している。インタプリタ部４００がプリントデータ９００を受信すると、排紙先選択情報９０７は、排紙先選択処理部４０７において排紙先を選択し、選択信号をプリンタデバイス管理部５００に送信する。
【００７２】
以下、プリンタ部１００が、プリントデータ９００を受信した際の出力条件決定処理部４０５の画像出力条件の決定手順について詳細を説明する。図７は、本実施の形態にかかる画像形成装置の処理決定の動作を示す第一のフローチャートである。
【００７３】
最初に、インタプリタ部４００が、プリントデータ９００を受信する（ステップＳ１００）。次に、出力条件決定処理部４０５が、ユーザが指定した指定給紙情報（給紙トレイ、用紙サイズおよび用紙種）を認識する（ステップＳ１０１）。そして、出力条件決定処理部４０５が、プリンタ部の用紙情報（各給紙トレイに設置された用紙サイズおよび用紙種）を用紙検知センサ７１０から取得する（ステップＳ１０２）。
【００７４】
次に、出力条件決定処理部４０５が、ユーザの指定給紙情報とプリンタ部の用紙情報を比較する（ステップＳ１０３）。さらに、出力条件決定処理部４０５が、ユーザの指定条件に一致するトレイがあるかどうか判定する（ステップＳ１０４）。一致するトレイがあれば（ステップＳ１０４：ＹＥＳ）、出力条件決定処理部４０５が、一致した給紙トレイを選択して、画像出力をプリンタデバイス管理部５００に指示する（ステップＳ１０５）。一致するトレイがなければ（ステップＳ１０４：ＮＯ）、図８に示す第二のフローチャートの（Ａ）部に進む。
【００７５】
以下、図８に示す第二のフローチャートを（Ａ）部から詳細に説明する。図８は、本実施の形態にかかる画像形成装置の処理決定の動作を示す第二のフローチャートである。
【００７６】
最初に、出力条件決定処理部４０５が、給紙トレイの指定があるかどうかを判定する（ステップＳ２００）。給紙トレイ指定があれば（ステップＳ２００：ＹＥＳ）、出力条件決定処理部４０５が、用紙サイズまたは用紙種の指定があるかどうかを判定する（ステップＳ２０１）。用紙サイズまたは用紙種の指定があれば（ステップＳ２０１：ＹＥＳ）、出力条件決定処理部４０５が、給紙トレイ回復処理値９０１の指定を認識する（ステップＳ２０２）。
【００７７】
ステップＳ２００で給紙トレイ指定がなければ（ステップＳ２００：ＮＯ）、出力条件決定処理部４０５が、用紙サイズまたは用紙種の指定があるかどうかを判定する（ステップＳ２１１）。用紙サイズまたは用紙種の指定がなければ（ステップＳ２１１：ＮＯ）、出力条件決定処理部４０５が、給紙先優先度テーブル４０６を参照する（ステップＳ２１２）。次に、出力条件決定処理部４０５が、給紙先優先度テーブル４０６との照合から給紙トレイを選択して画像出力をプリンタデバイス管理部５００に指示する（ステップＳ２１３）。一方、用紙サイズまたは用紙種の指定があれば（ステップＳ２１１：ＹＥＳ）、図９に示す第三のフローチャートの（Ｂ）部に進む。
【００７８】
一方、ステップＳ２０１において、用紙サイズまたは用紙種の指定がなければ（ステップＳ２０１：ＮＯ）、出力条件決定処理部４０５が、指定された給紙トレイを選択して画像出力をプリンタデバイス管理部５００に指示する（ステップＳ２１４）。
【００７９】
ステップＳ２０２において、給紙トレイ回復処理値９０１が「１」を指定された場合、出力条件決定処理部４０５が、給紙トレイを検索する（ステップＳ２０３）。次に、出力条件決定処理部４０５が、用紙サイズまたは用紙種のいずれかが一致するトレイがあるかどうかを判定する（ステップＳ２０４）。用紙サイズまたは用紙種のいずれかが一致するトレイがあれば（ステップＳ２０４：ＹＥＳ）、出力条件決定処理部４０５が、一致条件は用紙サイズであるかを判定する（ステップＳ２０５）。一致条件が用紙サイズであれば（ステップＳ２０５：ＹＥＳ）、出力条件決定処理部４０５が、用紙サイズが一致した給紙トレイを選択する。もし、一致した給紙トレイが複数ある場合、出力条件決定処理部４０５が、給紙先優先度テーブル４０６との照合から最終的に給紙トレイを決定し、画像出力をプリンタデバイス管理部５００に指示する（ステップＳ２０６）。
【００８０】
ステップＳ２０４で用紙サイズまたは用紙種のいずれも一致するトレイがない場合（ステップＳ２０４：ＮＯ）、図９に示す第三のフローチャートの（Ｃ）部に進む。
【００８１】
ステップＳ２０５で一致条件が用紙サイズでなければ（ステップＳ２０５：ＮＯ）、出力条件決定処理部４０５が、用紙種が一致していると判断し、用紙種が一致した給紙トレイを選択する。もし、一致した給紙トレイが複数ある場合、出力条件決定処理部４０５が、給紙先優先度テーブル４０６との照合から最終的に給紙トレイを決定し、画像出力をプリンタデバイス管理部５００に指示する（ステップＳ２０７）。
【００８２】
ステップＳ２０２において、給紙トレイ回復処理値が「２」を指定された場合、出力条件決定処理部４０５が、ユーザが指定した用紙サイズおよび用紙種を操作パネル８００に表示し、指定用紙の設定変更をユーザに促す（ステップＳ２０８）。次に、ユーザの設定変更により、出力条件決定処理部４０５が給紙トレイを選択し、画像出力をプリンタデバイス管理部５００に指示する（ステップＳ２０９）。
【００８３】
ステップＳ２０２において、給紙トレイ回復処理値が「０」を指定された場合、出力条件決定処理部４０５が、エラーを出力してジョブキャンセルをプリンタデバイス管理部５００に指示する（ステップＳ２１０）。
【００８４】
以下、図９に示す第三のフローチャートを（Ｂ）から詳細に説明する。図９は、本実施の形態にかかる画像形成装置の処理決定の動作を示す第三のフローチャートである。
【００８５】
最初に、出力条件決定処理部４０５が、用紙サイズまたは用紙種が一致する給紙トレイがあるかどうかを判定する（ステップＳ３００）。用紙サイズまたは用紙種が一致する給紙トレイがあれば（ステップＳ３００：ＹＥＳ）、出力条件決定処理部４０５が、用紙サイズまたは用紙種が一致した給紙トレイを選択して画像出力をプリンタデバイス管理部５００に指示する（ステップＳ３０１）。用紙サイズまたは用紙種が一致する給紙トレイがなければ（ステップＳ３００：ＮＯ）、出力条件決定処理部４０５が、用紙サイズ回復処理値９０２および用紙種回復処理値９０３の指定を認識する（ステップＳ３０２）。
【００８６】
ステップＳ３０２において、用紙サイズ回復処理値９０２が「３」「４」「５」「６」のいずれかで、用紙種回復処理値９０３が「１」の場合、出力条件決定処理部４０５が、給紙トレイの用紙サイズを検索する（ステップＳ３０３）。次に、出力条件決定処理部４０５が、用紙サイズ回復処理値９０２の指定値に従って用紙サイズを選択する（ステップＳ３０４）。そして、出力条件決定処理部４０５が、選択された用紙サイズに一致するトレイは一つかどうか判定する（ステップＳ３０５）。一致トレイが一つであれば（ステップＳ３０５：ＹＥＳ）、出力条件決定処理部４０５が、ユーザが指定した用紙サイズ回復処理値９０２に従って変倍率を選択する（ステップＳ３０６）。さらに、出力条件決定処理部４０５が、選択した用紙サイズと変倍率に基づいて給紙トレイを選択して画像出力をプリンタデバイス管理部５００に指示する（ステップＳ３０７）。
【００８７】
ステップＳ３０５において、一致トレイが複数あれば（ステップＳ３０５：ＮＯ）、出力条件決定処理部４０５が、選択された用紙サイズと給紙先優先度テーブル４０６を照合する（ステップＳ３０８）。次に、出力条件決定処理部４０５が、給紙先優先度テーブル４０６との照合から給紙トレイを選択して画像出力をプリンタデバイス管理部５００に指示する（ステップＳ３０９）。
【００８８】
ステップＳ３０２において、用紙サイズ回復処理値９０２が「１」もしくは用紙種回復処理値９０３が「１」を指定された場合、出力条件決定処理部４０５が、給紙先優先度テーブル４０６を参照する（ステップＳ３１０）。次に、出力条件決定処理部４０５が、給紙先優先度テーブル４０６との照合から給紙トレイを選択して画像出力をプリンタデバイス管理部５００に指示する（ステップＳ３１１）。
【００８９】
ステップＳ３０２において、用紙サイズ回復処理値または用紙種回復処理値のいずれかが「２」を指定された場合、出力条件決定処理部４０５が、ユーザが指定した用紙サイズおよび用紙種を操作パネル８００に表示し、画像出力用紙の設定変更をユーザに促す（ステップＳ３１２）。ユーザの設定変更により、出力条件決定処理部４０５が、給紙トレイを選択して画像出力をプリンタデバイス管理部５００に指示する（ステップＳ３１３）。
【００９０】
ステップＳ３０２において、用紙サイズ回復処理値または用紙種回復処理値のいずれかが「０」、片方が「０」または「１」を指定された場合、出力条件決定処理部４０５が、エラーを出力してジョブキャンセルをプリンタデバイス管理部５００に指示する（ステップＳ３１４）。
【００９１】
以上のように、ユーザの指定給紙情報と、給紙トレイの用紙情報と、ユーザ指定の回復処理値に応じて、最終的に画像形成部２が実行する処理を決定する。図１０、１１は、図７、８、９のフローチャートで説明した回復処理値の指定に基づいて処理を実行する際の条件対応を示している。図１０は、本実施の形態にかかる画像形成装置の用紙サイズと用紙種の回復処理値の指定に対する条件対応表である。
【００９２】
また、図１１は、本実施の形態にかかる画像形成装置の給紙トレイ、用紙サイズおよび用紙種の回復処理値の指定に対する処理対応表である。図１１は、一番右欄の「図１０との対応」に記載する通り、図１０の条件１〜６に対応している。
【００９３】
図１０、図１１中の「○」は給紙トレイの用紙情報とユーザの指定給紙情報が一致したことを示し、「×」は給紙トレイの用紙情報とユーザの指定給紙情報が一致しなかったことを示す。また、数字は、ユーザが指定する回復処理値を示し、「−」は指定された回復処理値に依存しないことを示す。
【００９４】
以上のように、本実施の形態にかかる画像出力条件の決定方法について詳細を説明してきたが、実際にユーザの指定条件に対してどのような動作をするか二事例を説明する。いずれの事例も説明を簡単にするため、給紙先優先度テーブル４０６により優先給紙トレイはトレイ１とし、プリンタ部のトレイ状態は以下のようになっているとする。
＜プリンタ部のトレイ状態＞
トレイ１：Ｌｅｔｔｅｒ、普通紙
トレイ２：Ｌｅｔｔｅｒ、特殊紙
トレイ３：Ｌｅｔｔｅｒ、普通紙
トレイ４：Ａ４、普通紙
【００９５】
事例１
＜ユーザ指定条件＞
用紙サイズ：Ａ４  用紙サイズ回復処理値：０
用紙種：特殊紙    用紙種回復処理値：１
【００９６】
この場合、トレイ２の用紙種がユーザ指定と一致しており、トレイ４の用紙サイズがユーザ指定と一致していることから、給紙トレイの検索結果は図１２のように２トレイが「○」となり、その他は「×」となる。図１２は、本実施の形態にかかる画像形成装置の画像出力条件事例１の給紙トレイの検索結果を示す表である。従って、用紙種よりも用紙サイズを優先するため用紙サイズが一致しているトレイを優先して、トレイ４を選択して画像出力する。
【００９７】
事例２
＜ユーザ指定条件＞
用紙サイズ：Ａ３      用紙サイズ回復処理値：２
用紙種：リサイクル紙  用紙種回復処理値：０
【００９８】
この場合、ユーザ指定と一致するトレイが全くないことから、給紙トレイの検索結果は図１３のように全て「×」となる。図１３は、本実施の形態にかかる画像形成装置の画像出力条件事例２の給紙トレイの検索結果を示す表である。従って、指定された回復処理値に従う。用紙サイズ回復処理値が「２」を指定されているので、操作パネル８００に選択用紙を表示して、ユーザに設定変更を促す。
【００９９】
以上述べたように、本実施の形態によれば、ユーザが画像出力指示を行う際に給紙トレイ、用紙サイズおよび用紙種の指定に加えて、各条件の回復処理値を指定可能としたことにより、回復処理値の指定条件も考慮して画像出力条件を決定する。この処理によって、画像出力時のユーザ指定条件と画像形成装置本体の設定条件が一致しない場合にも、ジョブキャンセルや出力時間延長の発生を低減し、より稼動効率の高い画像形成機能を実現することができる。
【０１００】
なお、本実施の形態においては、ユーザがプリンタ部に画像出力指示を行う際に、給紙トレイ、用紙サイズ、用紙種を指定することを前提に動作を説明したが、インタプリタ４００が電子ドキュメント内に記述されるＡ４、Ａ３、Ｂ４等のドキュメントサイズ情報を検知して、本実施の形態にかかる出力条件決定処理部４０５への入力情報とすることも可能である。すなわち、本実施の形態にかかる用紙サイズ選択情報９０３の代わりに、電子ドキュメント内に記述されるＡ４、Ａ３、Ｂ４等のドキュメントサイズ情報を判断に活用する処理としてもよい。
【０１０１】
また、本実施の形態においては、プリンタ部の画像出力を指示する際に、ユーザが給紙トレイ、用紙のサイズ及び種類を選択すると説明したが、複写機において光学センサ等による原稿サイズの自動検知を行い、原稿サイズ情報を基に本実施の形態にかかる出力条件決定処理部４０５の処理を実行することも可能である。すなわち、本実施の形態にかかる用紙サイズ選択情報９０３の代わりに、原稿サイズ情報を判断に活用する処理としてもよい。
【０１０２】
また、本実施の形態においては、用紙サイズ及び用紙種の検知に関して、各給紙トレイに設置された用紙検知センサが用紙サイズ及び用紙種を検知すると説明したが、ユーザが複数の選択肢から選択指定するという構成としてもよい。
【０１０３】
また、本実施の形態においては、用紙種の決定に応じて、転写、定着等の画像形成条件の変更に関して詳細を記述していないが、例えば、上質紙とコート紙といった用紙種を検知もしくはユーザ指定した段階で、画像形成時の転写電流値や定着設定温度を変更するような動作を行うことも可能である。このように、用紙種に応じた画像形成条件の変更を行うことにより、ユーザはよりそれぞれの用紙種に応じた適切な画像出力サンプルを得ることが可能となる。
【０１０４】
なお、本実施の形態にかかる画像形成装置で実行される画像形成プログラムは、ＲＯＭ等に予め組み込まれて提供される。
【０１０５】
本実施の形態にかかる画像形成装置で実行される画像形成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１０６】
さらに、本実施の形態にかかる画像形成装置で実行される画像形成プログラムを、インターネット等のネットワークに接続されたコンピュータ上に格納し、ネットワーク経由でダウンロードさせることにより提供するように構成しても良い。また、本実施の形態にかかる画像形成装置で実行される画像形成プログラムをインターネット等のネットワーク経由で提供または配布するように構成しても良い。
【０１０７】
本実施の形態にかかる画像形成装置で実行される画像形成プログラムは、上述した各部（給紙トレイ選択部、用紙サイズ選択部、用紙種選択部、出力条件決定処理部）を含むモジュール構成となっており、実際のハードウェアとしてはＣＰＵ（プロセッサ）が上記ＲＯＭから画像形成プログラムを読み出して実行することにより上記各部が主記憶装置上にロードされ、給紙トレイ選択部、用紙サイズ選択部、用紙種選択部、出力条件決定処理部が主記憶装置上に生成されるようになっている。
【０１０８】
なお、本実施の形態は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【０１０９】
【図１】本実施の形態にかかる画像形成装置の概略構成を説明する断面図である。
【図２】本実施の形態にかかる画像形成装置のプリンタ部構成を示すブロック図である。
【図３】本実施の形態にかかるインタプリタ部４００の内部構成を示すブロック図である。
【図４】本実施の形態にかかる画像形成装置の給紙先優先度テーブルの記憶構造を示す概要図である。
【図５】本実施の形態にかかる画像形成装置のプリンタ設定画面８０１を示す説明図である。
【図６】本実施の形態にかかる画像形成装置のプリントデータ９００の内部構成例を示す概略図である。
【図７】本実施の形態にかかる画像形成装置の処理決定の動作を示す第一のフローチャートである。
【図８】本実施の形態にかかる画像形成装置の処理決定の動作を示す第二のフローチャートである。
【図９】本実施の形態にかかる画像形成装置の処理決定の動作を示す第三のフローチャートである。
【図１０】本実施の形態にかかる画像形成装置の用紙サイズと用紙種の回復処理値を指定した条件対応を示す説明図である。
【図１１】本実施の形態にかかる画像形成装置の給紙トレイ、用紙サイズおよび用紙種の回復処理値の指定に対応した処理を記載した処理対応を示す説明図である。
【図１２】本実施の形態にかかる画像形成装置の画像出力条件事例１の給紙トレイの検索結果を示す説明図である。
【図１３】本実施の形態にかかる画像形成装置の画像出力条件事例２の給紙トレイの検索結果を示す説明図である。
【符号の説明】
【０１１０】
１  画像形成装置
２  画像形成部
３  給紙部
４  画像読取部
５  排紙収納部
６  中間転写ベルト
７  作像部
７Ｙ  イエロー（Ｙ）作像部
７Ｍ  マゼンタ（Ｍ）作像部
７Ｃ  シアン（Ｃ）作像部
７Ｋ  ブラック（Ｋ）作像部
８  露光装置
９  定着装置
２０  シート状媒体
３１ａ  給紙トレイ（１）
３１ｂ  給紙トレイ（２）
３１ｃ  給紙トレイ（３）
３１ｄ  給紙トレイ（４）
３１ｅ  手差しトレイ
３２  給紙装置
３３  レジストローラ
３４  底板
３６  給紙ローラ
３７  給紙ローラ
３８  ピックアップローラ
４１  自動原稿搬送装置（ＡＤＦ）
４２  レンズ
４３  ＣＣＤセンサ
６１  転写装置
６２  中間転写クリーニング装置
６３  排紙ローラ
７１  感光体
７２  帯電装置
７３  現像装置
７４  クリーニング装置
ＨＣ  ホストコンピュータ
１００  プリンタ部
２００  プリンタコントローラ
３００  ジョブ制御信号解析部
４００  インタプリタ
４０１  ＰＤＬデバイス制御部
４０２  給紙トレイ選択部
４０３  用紙サイズ選択部
４０４  用紙種選択部
４０５  出力条件決定処理部
４０６  給紙先優先度テーブル
４０７  排紙先選択処理部
４０８  ＰＤＬ描画処理部
５００  プリンタデバイス管理部
６００  エンジン制御部
７００  エンジン
７１０  用紙検知センサ
８００  操作パネル
８０１  プリンタ設定画面
８０２  給紙トレイ回復処理値設定欄
８０３  用紙サイズ回復処理値設定欄
８０４  用紙種回復処理値設定欄
８０５  給紙トレイ選択欄
８０６  用紙サイズ選択欄
８０７  用紙種選択欄
８０８  排紙先選択欄
９００  プリントデータ
９０１  給紙トレイ回復処理値
９０２  用紙サイズ回復処理値
９０３  用紙種回復処理値
９０４  給紙トレイ選択情報
９０５  用紙サイズ選択情報
９０６  用紙種選択情報
９０７  排紙先選択情報
９０８  画像データ
【図１】
2008229992.tif 000003
【図２】
2008229992.tif 000004
【図３】
2008229992.tif 000005
【図４】
2008229992.tif 000006
【図５】
2008229992.tif 000007
【図６】
2008229992.tif 000008
【図７】
2008229992.tif 000009
【図８】
2008229992.tif 000010
【図９】
2008229992.tif 000011
【図１０】
2008229992.tif 000012
【図１１】
2008229992.tif 000013
【図１２】
2008229992.tif 000014
【図１３】
2008229992.tif 000015